【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
保留ボウルに貯留されたコインを回転ディスクに形成された通孔を介してホッパベース上に落下させ、前記回転ディスクの回転に伴って前記回転ディスクの裏面に配置された押動部により前記ホッパベース上のコインを移動させて所定の出口からコインを払い出すと共に、コイン払出検知装置によりコインの払い出しを検知するコインホッパにおいて、
前記回転ディスクの回転位置を検知する回転位置検知装置を設け、
前記回転位置検知装置が、前記回転ディスクの回転周期を前記通孔の数で除算した周期で、第１出力レベルから第２出力レベルに変化してほぼ前記第２出力レベルを第１期間継続した後前記第１出力レベルに戻る第１検知信号を出力するよう構成され、
前記コイン払出検知装置が、コインの払い出しに対応して、第３出力レベルから第４出力レベルに変化してほぼ前記第４出力レベルを第２期間継続した後前記第３出力レベルに戻る第２検知信号を出力するよう構成され、
前記回転位置検知装置の出力が前記第２出力レベルから前記第１出力レベルに戻るときに前記コイン払出検知装置の出力が第３出力レベルであるよう前記第１期間および前記第２期間が設定されることを特徴とするコインホッパ。
【請求項２】
保留ボウルに貯留されたコインを回転ディスクに形成された通孔を介してホッパベース上に落下させ、前記回転ディスクの回転に伴って前記回転ディスクの裏面に配置された押動部により前記ホッパベース上のコインを移動させ、前記回転ディスクの側方に固定状態に配置された第１ガイドおよび前記第１ガイドに対し弾性的に接離可能に設けられた第２ガイドによって出口開口を構成し、前記回転ディスクの回転に伴ない前記押動部によって押動されるコインを前記出口開口に押し込むことにより待機位置から弾き出し位置まで移動された前記第２ガイドによって弾き出し、前記第２ガイドのコインによる移動に関連してコインの通過を検知するコイン払出検知装置を備えたコインホッパにおいて、
前記回転ディスクの回転位置を検知する回転位置検知装置を設け、
前記回転位置検知装置が、検知器と、前記回転ディスクに駆動連結されて前記回転ディスクに対し前記通孔の数に相当する倍数で回転し、かつ、前記検知器を作用させる作用領域を有する回転体と、を含み、
前記回転体が、その回転方向を横切って形成された、前記作用領域を画定する縁部を有し、
通常動作中は前記第２ガイドが前記待機位置に位置するときに前記縁部が前記検知器による検知位置を通過するように前記縁部の回転位置が設定されることを特徴とするコインホッパ。
【請求項３】
保留ボウルに貯留されたコインを回転ディスクに形成された通孔を介してホッパベース上に落下させ、前記回転ディスクの回転に伴って前記回転ディスクの裏面に配置された押動部により前記ホッパベース上のコインを移動させ、前記回転ディスクの側方に固定状態に配置された第１ガイドおよび前記第１ガイドに対し弾性的に接離可能に設けられた第２ガイドによって出口開口を構成し、前記回転ディスクの回転に伴ない前記押動部によって押動されるコインを前記出口開口に押し込むことにより待機位置から弾き出し位置まで移動された前記第２ガイドによって弾き出し、前記第２ガイドのコインによる移動に関連してコインの通過を検知するコイン払出検知装置を備えたコインホッパにおいて、
前記回転ディスクの回転位置を検知する回転位置検知装置を設け、
前記回転位置検知装置が、検知器と、前記回転ディスクに駆動連結されて前記回転ディスクに対し前記通孔の数に相当する倍数で回転し、かつ、前記検知器を作用させる作用領域を有する回転体と、を含み、
前記回転体が、その回転方向を横切って形成された、前記作用領域を画定する縁部を有し、
前記縁部が前記検知器による検知位置を通過するときに前記検知器の出力レベルが変化し、
通常動作中は前記検知器が所定の出力レベルを継続するときに前記コイン払出検知装置の出力レベルが変化するよう前記縁部の回転位置が設定されることを特徴とするコインホッパ。
【手続補正２】
【補正対象書類名】明細書
【補正対象項目名】００６１
【補正方法】変更
【補正の内容】
【００６１】
次に、検知器３０６を説明する。検知器３０６は、回転体３０２の被検知部３０４を検知した場合、所定出力レベルの電気的な第１検知信号ＲＳを出力する機能を有する。本実施例の検知器３０６は、コイン払出検知装置１１８の検知器２４４とほぼ同じ構成を有する。すなわち、回転体３０２に向けて光を投射する投光部３２４と投光部３２４から投射された光を受ける受光部３２６とを有する透過形の光電センサ３２２であり、投光部３２４の透孔３２８から投光される投射光が遮断された場合、所定出力レベルの第１検知信号ＲＳを出力する。換言すれば、透孔３２８と相対する位置が光電センサ３２２の検知位置に相当し、回転体３０２の被検知部３０４が透孔３２８と相対する場合に第１検知信号ＲＳが出力される。光電センサ３２２は、ホッパベース１０６の裏面に取付部３３２を介して固定されている。なお、光電センサ３２２は、コイン払出検知装置１１８の光電センサ２４８に近接配置されることが好ましい。電波により光電センサ２４８を誤動作させる不正が行われた場合にも、光電センサ２４８および光電センサ３２２が同時に電波の影響を受けて誤動作するため、不正の発見が容易になるからである。また、光電センサ２４８と同様に、光電センサ３２２はサポート部１２８で囲われたホッパベース１０６の下方に位置するので、外部から不正にアクセスすることが極めて困難である。
【手続補正３】
【補正対象書類名】明細書
【補正対象項目名】００９２
【補正方法】変更
【補正の内容】
【００９２】
図２２は、実施例２のコインホッパを構成する回転位置検知装置３５０を示す。実施例２のコインホッパは、回転位置検知装置３５０の回転体３５２が異なる点を除き、実施例１のコインホッパ１００と同じ構成を有する。すなわち、図８の回転体３０２の切り欠き部３０８に対応する領域に被検知部３５４を配置した点において相違する。そのため、ここでは、回転位置検知装置３５０についてのみ説明する。
【手続補正４】
【補正対象書類名】明細書
【補正対象項目名】００９４
【補正方法】変更
【補正の内容】
【００９４】
回転位置検知装置３５０の動作は、光電センサ３２２の出力極性が異なる点を除き、図８の回転位置検知装置３００と同じである。すなわち、図２３に示すように、時刻ｔ２において回転体３５２の縁部３５９Ａが光電センサ３２２の検知位置を通過し、被検知部３５４による投射光の遮断が中断されるため、光電センサ３２２の出力が「Ｈ」から「Ｌ」に変化する。時刻ｔ５において回転体３５２の縁部３５９Ａが光電センサ３２２の検知位置を通過し、被検知部３５４により投射光が遮断されるため、光電センサ３２２の出力が「Ｌ」から「Ｈ」に変化する。こうして、期間Ｔｒにおいて出力レベルが「Ｌ」となる第１検知信号ＲＳが回転体３５２の回転数に対応して出力される。そして、時刻ｔ２および時刻ｔ５の時点でコイン払出検知装置１１８の出力は「Ｌ」となる。したがって、回転位置検知装置３００の第１検知信号ＲＳの立上りに同期してコイン払出検知装置１１８の第２検知信号ＤＳが出力されているか否かを判定することにより、実施例１のコインホッパ１００と同様に不正による異常が生じたことを検知できる。
【手続補正５】
【補正対象書類名】明細書
【補正対象項目名】００９８
【補正方法】変更
【補正の内容】
【００９８】
１００  コインホッパ
１０２  コイン
１０４  フレーム
１０６  ホッパベース
１０８  保留ボウル
１１０  回転ディスク
１１２  周方向案内装置
１１２Ａ  第１規制体
１１２Ｂ  第２規制体
１１４  弾出装置
１１６  出口通路
１１８  コイン払出検知装置
１２２  出口通路画定装置
１２６  ベース
１２８  サポート部
１３０  上面
１３２  ガイド穴
１３４Ａ、１３４Ｂ  第１取付部
１３６Ａ、１３６Ｂ  第２取付部
１３８  出口開口
１４０  取付部
１４２  取付部
１４４  底面
１４６  第１回転軸
１４８  軸孔
１５０  周壁
１５１  ガイドリング
１５２  下端部
１５４  上端部
１５５  底孔
１５６  上部開口
１５８  電気モータ
１６０  減速機
１６１  裏面
１６４  通孔
１６５  錐形の導入部
１６６  中央凸部
１６７  リブ
１６８  第１押動部
１６８Ｐ  第１押動面
１７０  第２押動部
１７０Ｐ  第２押動面
１７２Ａ  第１溝
１７２Ｂ  第２溝
１７４Ａ、１７４Ｂ  板バネ
１７６  第１ガイド
１７８  第２ガイド
１８２  凹溝
１８４  出口通路画定ガイド
１８６  底面
１８８  付勢手段
１９０  出口
１９２  ガイド体
１９４  弧状端部
１９６  弧状凸部
１９８  凹部
２００  他端部
２０１  弧状凹部
２０２  弧状凸部
２０４  第１側面
２０６  第２側面
２０８Ａ、２０８Ｂ  スクリュウ
２１２  支軸
２１４  ローラ
２１８  固定軸
２２０  揺動レバ
２２２  弧状長孔
２２４  ピン
２２５  ピン
２２６  スプリング
２２８  被係止部
２３０  係止部
２４２  作用片
２４４  検知器
２４６  被検知部
２４８  光電センサ
２４８Ｈ  透孔
２５６  減速機ボックス
２５８  ドライブギヤ
２６２  第１固定軸
２６４  第１減速ギヤ
２６６  第２減速ギヤ
２６８  第２固定軸
２７２  第３減速ギヤ
２７４  第４減速ギヤ
２７６  第５減速ギヤ
２７８  被動ギヤ
２８２  第２回転軸
３００  回転位置検知装置
３０２  回転体
３０４  被検知部
３０５  作用領域
３０６  検知器
３０８  切り欠き部
３０９Ａ、３０９Ｂ  縁部
３１２  周縁
３２２  光電センサ
３２４  投光部
３２６  受光部
３２８  透孔
３３２  取付部
３５０  回転位置検知装置
３５２  回転体
３５４  被検知部
３５５  作用領域
３５９Ａ、３５９Ｂ  縁部
ＤＰ  弾き出し位置
ＳＰ  待機位置
ＲＳ  第１検知信号
ＤＳ  第２検知信号
ＰＳ  払出制御信号
ＭＳ  モータ駆動信号
Ｔｒ  第１検知信号の出力期間（第１期間）
Ｔｄ  第２検知信号の出力期間（第２期間）
Ｔｒｃ  第１検知信号の出力周期
Ｔｄｃ  第２検知信号の出力周期
Ｔｃ  回転ディスクの回転周期
Ｔｐ  払出指示有効期間